(57)【要約】【課題】商品情報の増加に対応したラベル片を発行することが可能な印字装置または印字方法を提供する。【解決手段】印字装置１６０は、台紙レスラベルＬＳに対して商品情報を印字する印字装置であって、ロールホルダー６１と、繰り出しローラ６３と、印字部６２と、制御装置８０とを備える。ロールホルダーは、連続して延びる色付きの目立ち部を含む台紙レスラベルを巻きつけたラベルロールを保持する。繰り出しローラは、台紙レスラベルの一部を挟み込み、ラベルロールから台紙レスラベルを繰り出させる。印字部は、台紙レスラベルの目立ち部に商品情報に含まれるアイキャッチ情報を印字し、目立ち部以外の台紙レスラベルの部分である非目立ち部にアイキャッチ情報以外の商品情報を印字する。制御装置は、搬送ローラおよび前記印字部の動作を制御する。【選択図】図２
2014008679.tif 000002
【特許請求の範囲】
【請求項１】
台紙レスラベルに対して商品情報を印字する印字装置であって、
連続して延びる色付きの目立ち部を含む前記台紙レスラベルを巻きつけたラベルロールを保持するロールホルダーと、
前記台紙レスラベルの一部を挟み込み、前記ラベルロールから前記台紙レスラベルを繰り出させる繰り出しローラと、
前記台紙レスラベルの前記目立ち部に前記商品情報に含まれるアイキャッチ情報を印字し、前記目立ち部以外の前記台紙レスラベルの部分である非目立ち部に前記アイキャッチ情報以外の前記商品情報を印字する印字部と、
前記搬送ローラおよび前記印字部の動作を制御する制御装置と、
を備える、
印字装置。
【請求項２】
前記印字部は、前記アイキャッチ情報を示す文字または数字を、前記アイキャッチ情報以外の前記商品情報である一般情報を示す文字または数字に対して、大きいサイズで前記目立ち部に印字する、
請求項１に記載の印字装置。
【請求項３】
前記制御装置は、
前記商品情報を記憶する商品情報記憶領域と、
前記印字部によって印字される前記商品情報のレイアウト情報を記憶するレイアウト情報記憶領域と、
ユーザによる前記レイアウト情報の選択を受け付ける選択受付部と、
を含み、
前記レイアウト情報は、
前記台紙レスラベルの延びる方向に直交する第１の方向を天地方向として、前記アイキャッチ情報および前記一般情報の第１部分を横書きさせる第１レイアウト情報と、
前記台紙レスラベルの延びる方向を天地方向として、前記アイキャッチ情報を縦書き、前記一般情報の第１部分を横書きさせる第２レイアウト情報と、
を含み、
前記印字部は、前記選択受付部によって受け付けられた前記レイアウト情報の選択に基づき、前記商品情報を前記台紙レスラベルに印字する、
請求項１または２に記載の印字装置。
【請求項４】
前記レイアウト情報は、
前記第１の方向を天地方向として、前記アイキャッチ情報と前記一般情報の第１の部分とを横書きする第１領域と、前記第１領域に隣接する領域であって前記台紙レスラベルの延びる方向を天地方向として、前記一般情報の第２の部分を横書きする第２領域とを有する第３レイアウトに関する第３レイアウト情報をさらに含む、
請求項３に記載の印字装置。
【請求項５】
前記一般情報は、バーコードに関する情報を含み、
前記印字部は、前記バーコードを構成する各バーを前記台紙レスラベルの延びる方向に前記台紙レスラベルに印字する、
請求項１から４のいずれかに記載の印字装置。
【請求項６】
台紙レスラベルに対し商品情報を印字するための印字方法であって、
連続して延びる色付きの目立ち部を含む前記台紙レスラベルの一部を挟み込み、前記台紙レスラベルを巻きつけた前記ラベルロールから、前記台紙レスラベルを繰り出させる繰り出しステップと、
前記台紙レスラベルの前記目立ち部に前記商品情報に含まれるアイキャッチ情報を印字し、前記目立ち部以外の前記台紙レスラベルの部分である非目立ち部に前記アイキャッチ情報以外の前記商品情報を印字する印字ステップと、
を備える、
印字方法。
【請求項７】
前記印字ステップによって印字される前記商品情報のレイアウト情報を記憶するレイアウト情報記憶ステップをさらに備え、
前記レイアウト情報は、前記台紙レスラベルの延びる方向に直交する第１の方向を天地方向として、前記アイキャッチ情報と前記アイキャッチ情報以外の前記商品情報である一般情報の第１の部分とを横書きする第１領域と、前記第１領域に隣接する領域であって前記台紙レスラベルの延びる方向を天地方向として、前記一般情報の第２の部分を横書きする第２領域とを有するレイアウトに関する情報を含み、
前記第１領域に対応する前記台紙レスラベルの部分は、商品の上面に貼り付けられ、前記第２領域に対応する前記台紙レスラベルの部分は、前記商品の側面に貼り付けられる、
請求項６に記載の印字方法。
【発明の詳細な説明】
【技術分野】
【０００１】
本発明は、印字装置および印字方法に関する。
【背景技術】
【０００２】
従来、生鮮食品や加工食品等の商品は、商品の上面に、商品に関する情報（商品情報）を示すためのラベル片が貼り付けられて販売されている。また、当該ラベル片に商品情報を印字するために印字装置が用いられている。例えば、特許文献１（特願２００２−２８３６３３号公報）では、一目を引きつけるためのアイキャッチ情報と、アイキャッチ情報以外の情報である一般情報とを含む商品情報を印字可能な印字装置が提案されている。
【発明の概要】
【発明が解決しようとする課題】
【０００３】
ところで、上記特許文献１で提案された印字装置は、台紙レスラベルの延びる方向に対して直交する方向（第１の方向）である台紙レスラベルの幅方向が、ラベル片の幅方向となるようにアイキャッチ情報および一般情報を印字した。具体的に、アイキャッチ情報および一般情報は、台紙レスラベルの延びる方向を天地方向として、台紙レスラベルに横書きで印字された。一般的に、アイキャッチ情報を印字するため、台紙レスラベルには、色付きの目立ち部が設けられる。目立ち部は、商品情報を印字する際の便宜のため、予め台紙レスラベルに設けられている場合が多い。具体的に、目立ち部は、台紙レスラベルの幅方向に延びる。また、各目立ち部は、台紙レスラベルの延びる方向に、互いに所定の距離間隔をあけて設けられる。すなわち、商品情報を印字可能な領域が予め決まっているため、印字される商品情報の増加に対応することは困難であった。
【０００４】
本発明の課題は、商品情報の増加に対応したラベル片を発行することが可能な印字装置または印字方法を提供することにある。
【課題を解決するための手段】
【０００５】
本発明に係る印字装置は、台紙レスラベルに対して商品情報を印字する印字装置であって、ロールホルダーと、繰り出しローラと、印字部と、制御装置とを備える。ロールホルダーは、連続して延びる色付きの目立ち部を含む台紙レスラベルを巻きつけたラベルロールを保持する。繰り出しローラは、台紙レスラベルの一部を挟み込み、ラベルロールから台紙レスラベルを繰り出させる。印字部は、台紙レスラベルの目立ち部に商品情報に含まれるアイキャッチ情報を印字し、目立ち部以外の台紙レスラベルの部分である非目立ち部にアイキャッチ情報以外の商品情報を印字する。制御装置は、搬送ローラおよび前記印字部の動作を制御する。
【０００６】
これにより、印字項目の数に関わらず、目立ち部を含む台紙レスラベルを効果的に用いることができる。
【０００７】
また、印字部は、アイキャッチ情報を示す文字または数字を、アイキャッチ情報以外の商品情報である一般情報を示す文字または数字に対して、大きいサイズで目立ち部に印字することが好ましい。
【０００８】
これにより、アイキャッチ情報を台紙レスラベルに効果的に印字することができる。
【０００９】
さらに、制御装置は、商品情報記憶領域と、レイアウト情報記憶領域と、選択受付部とを含むことが好ましい。商品情報記憶領域は、商品情報を記憶する。レイアウト情報記憶領域は、印字部によって印字される商品情報のレイアウト情報を記憶する。選択受付部は、ユーザによるレイアウト情報の選択を受け付ける。また、レイアウト情報は、第１レイアウト情報と、第２レイアウト情報とを含むことが好ましい。第１レイアウト情報は、台紙レスラベルの延びる方向に直交する第１の方向を天地方向として、アイキャッチ情報および一般情報の第１部分を横書きさせる。第２レイアウト情報は、台紙レスラベルの延びる方向を天地方向として、アイキャッチ情報を縦書き、一般情報の第１部分を横書きさせる。また、印字部は、選択受付部によって受け付けられたレイアウト情報の選択に基づき、商品情報を台紙レスラベルに印字することが好ましい。
【００１０】
これにより、所望するレイアウトを適宜選択することができる。
【００１１】
さらに、レイアウト情報は、第３レイアウト情報を含むことが好ましい。第３レイアウト情報は、第３レイアウトに関する情報である。第３レイアウトとは、第１領域と第２領域とを含む。第１領域は、第１の方向を天地方向として、アイキャッチ情報と一般情報の第１の部分とを横書きする領域である。第２領域は、第１領域に隣接する領域である。また、第２領域は、台紙レスラベルの延びる方向を天地方向として、一般情報の第２の部分を横書きする領域である。
【００１２】
これにより、ラベルが商品に貼り付けられる態様を変化させることができる。
【００１３】
また、一般情報は、バーコードに関する情報を含み、印字部は、バーコードを構成する各バーを、台紙レスラベルの延びる方向に台紙レスラベルに印字することが好ましい。
【００１４】
これにより、バーコードを台紙レスラベルに精確に印字することができる。
【００１５】
本発明に係る印字方法は、台紙レスラベルに対し商品情報を印字するための印字方法であって、繰り出しステップと、印字ステップとを備える。繰り出しステップは、連続して延びる色付きの目立ち部を含む台紙レスラベルの一部を挟み込み、台紙レスラベルを巻きつけたラベルロールから、台紙レスラベルを繰り出させる。印字ステップは、台紙レスラベルの目立ち部に商品情報に含まれるアイキャッチ情報を印字し、目立ち部以外の台紙レスラベルの部分である非目立ち部にアイキャッチ情報以外の商品情報を印字する。
【００１６】
これにより、印字項目の数に関わらず、目立ち部を含む台紙レスラベルを効果的に用いることができる。
【００１７】
さらに、本発明に係る印字方法は、レイアウト情報記憶ステップを備えることが好ましい。レイアウト情報記憶ステップは、印字ステップによって印字される商品情報のレイアウト情報を記憶する。レイアウト情報は、第１領域と第２領域とを有するレイアウトに関する情報を含む。第１領域は、台紙レスラベルの延びる方向に直交する第１の方向を天地方向として、アイキャッチ情報とアイキャッチ情報以外の商品情報である一般情報の第１の部分とを横書きする領域である。第２領域は、第１領域に隣接する領域であって台紙レスラベルの延びる方向を天地方向として、一般情報の第２の部分を横書きする領域である。第１領域に対応する台紙レスラベルの部分は、商品の上面に貼り付けられ、第２領域に対応する台紙レスラベルの部分は、商品の側面に貼り付けられる。
【００１８】
これにより、商品の各面に対応するラベルを読みやすい態様で貼り付けることができる。
【発明の効果】
【００１９】
本発明に係る印字装置および印字方法は、商品情報の増加に対応したラベル片を発行することができる。
【図面の簡単な説明】
【００２０】
【図１】本発明の一実施形態に係るラベル発行機構を備えた包装装置の外観斜視図である。
【図２】包装装置のブロック図である。
【図３】ラベルロールが装着されたラベル発行機構の概略図である。
【図４】台紙レスラベルの裏面を示す図である。
【図５】台紙レスラベルの表面を示す図である。
【図６】商品マスタの例を示す図である。
【図７】アイキャッチ情報の例を示す図である。
【図８】フォーマット情報の例を示す図である。
【図９】選択情報の例を示す図である。
【図１０】第１レイアウト情報に基づいて印字されるラベル片の例を示す図である。
【図１１】第２レイアウト情報に基づいて印字されるラベル片の例を示す図である。
【図１２】第３レイアウト情報に基づいて印字されるラベル片の例を示す図である。
【図１３】第３レイアウト情報に基づいて印字されたラベル片の使用例を説明するための図である。
【図１４】第４レイアウト情報に基づいて印字されるラベル片の例を示す図である。
【図１５】ラベル発行機構の動作フローを示す図である。
【発明を実施するための形態】
【００２１】
本発明の一実施形態に係る印字装置（ラベル発行機構）１６０について、図面を参照しながら説明する。なお、以下の実施形態は、本発明の技術的範囲を限定するものではない。
【００２２】
（１）全体構成
図１は、本発明に係るラベル発行機構１６０を備えた包装装置１００の外観斜視図である。図２は、包装装置１００のブロック図である。包装装置１００は、図１または図２に示すように、主として、計量搬入機構２０、包装機構３０、操作部７０、およびラベル発行ユニット６０を備える。また、包装装置１００は、計量搬入機構２０、包装機構３０、操作部７０、およびラベル発行ユニット６０を制御する制御装置８０をさらに備える。本実施形態では、包装装置１００に含まれるラベル発行ユニット６０および制御装置８０をラベル発行機構１６０として説明する。
【００２３】
計量搬入機構２０は、商品Ｐを包装装置１００の内部に搬入すると共に、商品Ｐの重量を計量する機構である。計量搬入機構２０によって計量された商品Ｐは、包装機構３０に搬送される。
【００２４】
包装機構３０は、トレーや容器に入れられた商品Ｐをフィルムで包装する機構である。包装機構３０は、主として、包装材保持ユニット３１と、包装ステーション３２と、シール部３３とを含む。包装材保持ユニット３１は、フィルムロールを保持するユニットである。包装ステーション３２は、フィルムロールから繰り出されたフィルムを商品の下面側に折り込んで商品Ｐをフィルムで包装する。また、包装ステーション３２は、包装された商品Ｐをシール部３３へ送り出す。シール部３３は、商品Ｐの下面に折り込まれたフィルムに対して熱シールを施す。
【００２５】
操作部７０は、包装装置１００を操作する際に用いるユニットである。操作部７０は、主として、タッチパネル７１と、機械キー７２とを含む。タッチパネル７１は、液晶ディスプレイと一体的に形成されている。タッチパネル７１には、包装装置１００の実行状況や、包装装置１００で包装している商品に関する情報等が示される。タッチパネル７１および機械キー７２によって入力された内容に基づき、包装装置１００は動作する。
【００２６】
ラベル発行ユニット６０は、包装された商品に貼り付けるためのラベル片ＬＰを発行する。以下、ラベル発行ユニット６０の構成および制御装置８０の構成について詳細に説明する。
【００２７】
（２）ラベル発行ユニットの詳細構成
ラベル発行ユニット６０は、台紙レスラベルＬＳに商品情報を印字してラベル片ＬＰを発行する。ラベル発行ユニット６０は、上述したように、制御装置８０によって制御される。台紙レスラベルＬＳとは、連続するシート状の紙部材である。台紙レスラベルＬＳは、裏面に粘着剤が付された粘着面を有する。粘着面には、台紙が付されていない。即ち、ラベルシートＬＳは、台紙レスである。台紙レスラベルＬＳの裏面には、図４に示すように、アイマークＥＭが設けられている。アイマークＥＭは、台紙レスラベルＬＳとは異なる色が付された部分である。アイマークＥＭは、後述するラベル検出センサ６５によって検出される。ラベル検出センサ６５がアイマークＥＭを検出することによって、ラベルロールＬＲから繰り出された台紙レスラベルＬＳの量（長さ）が判別される。アイマークＥＭは、台紙レスラベルＬＳの長手方向（台紙レスラベルＬＳが繰り出される方向）に、所定の距離間隔を空けて設けられている。台紙レスラベルＬＳの表面には、商品情報が印字される。台紙レスラベルＬＳの表面は、感熱発色層と剥離層とによって形成されている。具体的に、台紙レスラベルＬＳの表面は、感熱発色層に粘着面の粘着剤が付着しないように、シリコンコーティングが施されている。
【００２８】
なお、本実施形態に係るラベル発行ユニット６０では、台紙レスラベルＬＳとして、台紙レスラベルＬＳの表面に目立ち部ＯＰを有する台紙レスラベルと、目立ち部ＯＰを有さない台紙レスラベルとの双方が仕様可能である。ここで、目立ち部ＯＰとは、台紙レスラベルＬＳ自身の色（基本色）および印字色とは異なる色で部分的に色づけられた部分である（図５参照）。例えば、白色の台紙レスラベルＬＳを、部分的に黄色で色付けすることにより目立ち部ＯＰが形成される。目立ち部ＯＰは、台紙レスラベルＬＳの幅方向一端側で、台紙レスラベルＬＳの長手方向に連続して形成されている。より具体的には、図５に示すように、目立ち部ＯＰを有する台紙レスラベルＬＳの表面は、台紙レスラベルＬＳの幅方向の片側に目立ち部ＯＰが連続して延び、目立ち部ＯＰに隣接する位置に非目立ち部ＮＯＰが連続して延びる。目立ち部ＯＰは、商品Ｐについてのアイキャッチ情報ＥＩを印字するために用いられる。ここで、アイキャッチ情報ＥＩとは、人目を引きつけるための情報である。例えば、アイキャッチ情報ＥＩは、文字、数字、およびマークのいずれか、または、これらの組合せである。アイキャッチ情報ＥＩは、他の商品情報と比較して目立つ態様で印字される。例えば、アイキャッチ情報ＥＩが文字または数字であった場合、他の商品情報と比較して目立つフォントおよびフォントサイズで印字される。より具体的に、アイキャッチ情報ＥＩとして、広告文字や商品価格等が印字される場合が多い。
【００２９】
以下、図３を参照して、ラベル発行ユニット６０の構成を詳細に説明する。ラベル発行ユニット６０は、主として、ロールホルダー６１、サーマルヘッド６２、プラテンローラ（繰り出しローラ）６３、カッター機構６４、およびラベル検知センサ６５を備える。
【００３０】
（２−１）ロールホルダー
ロールホルダー６１には、ラベルロールＬＲを回転可能に保持する機構である。ラベルロールＬＲには、台紙レスラベルＬＳが巻き付けられている。
【００３１】
ロールホルダー６１は、ラベルロールＬＲを装着させる装着部を有する。装着部は、回転軸を有する。回転軸の回転駆動により、ラベルロールＬＲは回転する。なお、回転軸の先端には、ストッパーが取り付けられている。ストッパーは、装着部に装着されたラベルロールＬＲが装着部から抜けないように規制する。
【００３２】
台紙レスラベルＬＳは、図３に示すように、表面を上側に向けた状態で下流に搬送される。
【００３３】
（２−２）サーマルヘッド
サーマルヘッド６２は、ラベルロールＬＲから繰り出されたシート状の台紙レスラベルＬＳの表面に商品情報等を印字する印字部である。台紙レスラベルＬＳに印字される商品情報には、例えば、商品名、単価、アイキャッチ用の広告文字、原材料、バーコード、内容量、金額、加工日、加工時刻、賞味期限、賞味時刻、カロリー、品種、保存方法、店名、住所などが含まれる。
【００３４】
サーマルヘッド６２は、後述するプラテンローラ６３の上方に位置する。サーマルヘッド６２は、台紙レスラベルＬＳの表面の感熱発色層に熱を加えて発色させ、上述の商品情報を台紙レスラベルＬＳに印字する。
【００３５】
（２−３）プラテンローラ
プラテンローラ６３は、台紙レスラベルＬＳを前方へ送り出すローラである。プラテンローラ６３は、サーマルヘッド６２に対向するように配置されている。プラテンローラ６３は、サーマルヘッド６２との間に台紙レスラベルＬＳを挟み込む。サーマルヘッド６２およびプラテンローラ６３の間に挟みこまれた台紙レスラベルＬＳは、プラテンローラ６３の回転駆動によって台紙レスラベルＬＳを、ラベル片ＬＰの排出口に向かって送り出す。
【００３６】
（２−４）カッター機構
カッター機構６４は、連続する台紙レスラベルＬＳから、商品情報を印字した部分を切り離す。言い換えると、カッター機構６４は、台紙レスラベルＬＳを切断し、台紙レスラベルＬＳから商品Ｐに貼り付けられるラベル片ＬＰを切り離す。
【００３７】
カッター機構６４は、排出口の手前に配置される。また、カッター機構６４は、台紙レスラベルＬＳの搬送経路において、サーマルヘッド６２およびプラテンローラ６３より下流に位置する。
【００３８】
カッター機構６４は、移動カッター６４ａと、固定カッター６４ｂとを含む。移動カッター６４ａは、台紙レスラベルＬＳの上面側に配置される。移動カッター６４ａは、図示しないアクチュエータにより上下方向に移動可能な構成を有する。すなわち、移動カッター６４ａは、台紙レスラベルＬＳに対して近接する方向および離反する方向に移動する。固定カッター６４ｂは、台紙レスラベルＬＳの下面側に配置される。移動カッター６４ａは、下方に移動したとき、固定カッター６４ｂとの間で台紙レスラベルＬＳを挟み込み、台紙レスラベルＬＳからラベル片ＬＰを切り離す。カッター機構６４によって台紙レスラベルＬＳから切り離されたラベル片ＬＰは、商品Ｐに貼り付けられる。
【００３９】
（２−５）ラベル検知センサ
ラベル検知センサ６５は、光電センサである。ラベル検知センサ６５は、下流方向に搬送される台紙レスラベルＬＳに光を照射し、台紙レスラベルＬＳから反射する光を受ける。ラベル検知センサ６５は、台紙レスラベルＬＳから反射する光の量の違いにより、台紙レスラベルＬＳのアイマークＥＭを検知する。ラベル検知センサ６５によってアイマークＥＭが検知されると、後述する制御装置８０に検知信号が送られる。ラベル検知センサ６５による検知結果に基づき、台紙レスラベルＬＳの搬送量が把握される。
【００４０】
なお、台紙レスラベルＬＳの搬送経路には、ラベル検知センサ６５の他に、複数のラベル検知センサが設けられている。複数のラベル検知センサによる検知結果に基づき、台紙レスラベルＬＳの先端位置およびラベル片の先端位置が把握される。
【００４１】
（３）制御装置
図２に示すように、制御装置８０は、包装装置１００に含まれる各構成と接続され、各構成との間で信号の送受信を行う。制御装置８０は、主として、ＣＰＵ、ＲＯＭ、ＲＡＭ、ハードディスク等から構成されている。また、制御装置８０は、記憶部８１と制御部８２とを備える。
【００４２】
（３−１）記憶部
記憶部８１は、包装装置１００の制御に必要な各種プログラムおよび各種情報を記憶する。また、記憶部８１には、ラベル片ＬＰに商品情報を印字する際に必要な情報が記憶されている。具体的に、記憶部８１には、商品マスタ記憶領域（商品情報記憶領域）８１ａと、アイキャッチ情報記憶領域８１ｂと、フォーマット情報記憶領域（レイアウト情報記憶領域）８１ｃと、選択情報記憶領域８１ｄとが確保されている。
【００４３】
（３−１−１）商品マスタ記憶領域
商品マスタ記憶領域８１ａには、商品に関する基本情報が記憶されている。商品に関する基本情報には、例えば、図６に示すように、呼出番号、商品名、商品コード、単価、重量、原材料等が含まれる。言い換えると、商品に関する基本情報には、商品の価格を決定するために参照される情報、およびラベル片ＬＰに商品情報を印字する際に参照される情報が含まれる。
【００４４】
（３−１−２）アイキャッチ情報記憶領域
アイキャッチ情報記憶領域８１ｂには、アイキャッチ番号と、アイキャッチ情報とが関連付けて記憶されている。具体的に、本実施形態では、アイキャッチ情報として、複数のアイキャッチ用の広告文字が記憶されている。例えば、図７に示すように、アイキャッチ番号０〜４に対してそれぞれ異なる広告文字が関連付けられている。具体的に、アイキャッチ番号１には、「特価品」の広告文字が関連付けられている。アイキャッチ番号２には、「タイムサービス」の広告文字が関連付けられている。アイキャッチ番号３には、「広告の品」の広告文字が関連付けられている。アイキャッチ番号４には、「今が旬です」の広告文字が関連付けられている。なお、アイキャッチ番号０には、特定の広告文字が関連付けられていない。すなわち、アイキャッチ番号０の場合には、広告文字が付されない。
【００４５】
（３−１−３）フォーマット情報記憶領域
フォーマット情報記憶領域８１ｃには、台紙レスラベルＬＳに商品情報を印字する際に参照するフォーマット情報が記憶されている。具体的に、フォーマット情報記憶領域８１ｃには、フォーマット番号と、フォーマット情報とが関連付けて記憶されている。ここで、フォーマット情報には、例えば、図８に示すように、ラベル片ＬＰの大きさ、印字項目の種類、印字項目のレイアウト、フォントおよびフォントサイズ等に関する情報が含まれる。以下にフォーマット情報に含まれる各情報について詳細に説明する。
【００４６】
（ａ）ラベル片ＬＰの大きさ
ラベル片ＬＰの大きさに関する情報とは、一のラベル片ＬＰの大きさを定義する情報である。ラベル片ＬＰの大きさは、ラベル片ＬＰを貼り付ける商品Ｐの種類によって異なる。
【００４７】
ラベル片ＬＰの大きさは、台紙レスラベルＬＳの長手方向の長さ（繰り出し量）によって変化する。具体的に、ラベル片ＬＰの天地方向を台紙レスラベルＬＳの幅方向として台紙レスラベルＬＳの繰り出し量の変化させた場合、ラベル片ＬＰの高さは一定で、ラベル片ＬＰの幅が変化する。一方、ラベル片ＬＰの天地方向を台紙レスラベルＬＳの長手方向として台紙レスラベルＬＳの繰り出し量の変化させた場合、ラベル片ＬＰの幅は一定で、ラベル片ＬＰの高さ（上下方向の長さ）が変化する。
【００４８】
（ｂ）印字項目の種類
印字項目の種類に関する情報とは、ラベル片ＬＰに印字される項目の種類に関する情報である。ラベル片ＬＰに印字する項目の種類および数は、ラベル片ＬＰを貼り付ける商品の種類によって異なる。印字項目には、商品マスタに記憶されている商品の基本情報の他、加工日や消費期限に関する情報、計量搬入機構２０によって得られた計量情報、およびバーコード情報等が含まれる。図８に示す例では、フォーマット番号０１および０３では、印字項目の種類として、商品名、価格、アイキャッチ情報、熱量等が含まれる。フォーマット番号０２では、印字項目の種類として、商品名、価格、料理方法等が含まれる。また、フォーマット番号０４では、印字項目の種類として、商品名、価格、アイキャッチ情報、熱量、原材料、添加物等が含まれる。
【００４９】
（ｃ）印字項目のレイアウト
印字項目のレイアウトに関する情報（レイアウト情報）には、印字項目の配置に関する情報、文字方向に関する情報、および天地方向に関する情報が含まれる（図８参照）。
【００５０】
ここでは、印字項目となる複数の商品情報を、アイキャッチ情報ＥＩと、アイキャッチ情報以外の商品情報（一般情報）ＧＩとに分け、各情報に関連付けた領域に対して、配置、文字方向、および天地方向を設定している。具体的には、アイキャッチ情報ＥＩに、アイキャッチ領域ＥＲ、一般情報ＧＩに一般領域ＧＲ１をそれぞれ関連付け、配置および文字方向は、アイキャッチ領域ＥＲおよび一般領域ＧＲのそれぞれに対して設定する。なお、一般情報ＧＩは、一または複数の情報のグループに分け、各グループに対して領域を関連付けることが可能である。例えば、一般情報ＧＩは、基本的な商品情報を含む一般情報ＧＩの一部（第１の部分）である第１一般情報ＧＩ１と、第１一般情報以外の一般情報（第２の部分）である第２一般情報ＧＩ２とに分けられる。また、第１一般情報ＧＩ１に第１一般領域ＧＲ１、第２一般情報ＧＩ２には第２一般領域ＧＲ２をそれぞれ関連付ける。配置および文字方向は、第１一般領域ＧＲ１および第２一般領域ＧＩ２のそれぞれに対して設定する。
【００５１】
すなわち、印字項目の配置に関する情報とは、各印字項目に関連付けられた領域の配置（座標）に関する情報である。文字方向に関する情報とは、各領域における文字方向に関する情報である。天地方向に関する情報とは、各領域の天地方向に関する情報である。
【００５２】
具体的に、図１０〜図１２に示すように、アイキャッチ領域ＥＲは、台紙レスラベルＬＳの目立ち部ＯＰに対応する位置に配置される。また、一般領域ＧＲ（ＧＲ１，ＧＲ２）は、台紙レスラベルＬＳの残りのスペースに配置される。また、アイキャッチ領域ＥＲでは、目立ち部ＯＰが延びる方向（すなわち、台紙レスラベルＬＳが延びる方向）に沿って、アイキャッチ情報ＥＩが縦書きまたは横書きされる。
【００５３】
本実施形態では、アイキャッチ領域ＥＲおよび一般領域ＧＲの配置、文字方向、および天地方向について、複数のレイアウト情報が設定されている。複数のレイアウト情報には、第１レイアウト情報と、第２レイアウト情報と、第３レイアウト情報と、第４レイアウト情報とが含まれる。なお、第１レイアウトから第４レイアウトのいずれのレイアウトを用いた場合にも、バーコードｃｄの長手方向は、台紙レスラベルＬＳの幅方向に一致するように配置される（図１０〜図１２、図１４参照）。言い換えると、バーコードｃｄを構成する各バーｂｒの長さ方向（延びる方向）と台紙レスラベルＬＳの長さ方向（延びる方向）とが一致するようにバーコードｃｄは配置される（図１０参照）。すなわち、バーコードｃｄを構成する複数のバーｂｒは、台紙レスラベルＬＳの延びる方向に沿って台紙レスラベルＬＳに印字される。
【００５４】
（ｃ−１）第１レイアウト情報
第１レイアウト情報は、台紙レスラベルＬＳの延びる方向に直交する方向（第１の方向）を天地方向（高さ方向）として、アイキャッチ情報ＥＩと、一般情報ＧＩとを横書きにするレイアウトに関する情報である。具体的には、図１０に示すように、アイキャッチ領域ＥＲは、台紙レスラベルＬＳの幅方向左側に配置され、一般領域ＧＲは、台紙レスラベルＬＳの幅方向右側に配置される。言い換えると、台紙レスラベルＬＳの延びる方向（長手方向）に対して直交する方向（第１の方向）を天地方向として、アイキャッチ領域ＥＲは、上側に配置され、一般領域ＧＲは、アイキャッチ領域ＥＲの下側に配置される。アイキャッチ情報ＥＩおよび一般情報ＧＩは、台紙レスラベルＬＳの長手方向に直交する方向をラベル片ＬＰの天地方向として、各領域において右から左に横書きされる。
【００５５】
（ｃ−２）第２レイアウト情報
第２レイアウト情報は、台紙レスラベルの延びる方向を天地方向として、アイキャッチ情報ＥＩを縦書きにし、一般情報ＧＩを横書きにするレイアウトに関する情報である。具体的には、図１１に示すように、アイキャッチ領域ＥＲは、台紙レスラベルＬＳの幅方向右側に配置され、一般領域ＧＲは、台紙レスラベルＬＳの幅方向左側に配置される。言い換えると、台紙レスラベルＬＳの延びる方向を天地方向として、アイキャッチ領域ＥＲは、台紙レスラベルＬＳの幅方向右側に配置され、一般領域ＧＲは、アイキャッチ領域ＥＲの左側に配置される。アイキャッチ情報ＥＩは、台紙レスラベルＬＳの長手方向をラベル片ＬＰの天地方向として、アイキャッチ領域ＥＲにおいて上から下に縦書きされ、一般情報ＧＩは、一般領域ＧＲにおいて右から左に横書きされる。
【００５６】
（ｃ−３）第３レイアウト情報
第３レイアウト情報は、アイキャッチ情報ＥＩに関連付けられたアイキャッチ領域ＥＲと、一般情報ＧＩの一部（第１の部分）ＧＩ１に関連付けられた第１一般領域ＧＲ１とからなる第１領域Ｒ１と、一般情報ＧＩの残りの一部（第２部分）ＧＩ２に関連付けられた第２一般領域ＧＲ２からなる第２領域Ｒ２とを有するレイアウトに関する情報である。
【００５７】
具体的には、図１２に示すように、第１領域Ｒ１では、アイキャッチ領域ＥＲは、台紙レスラベルＬＳの幅方向左側に配置され、第１一般領域ＧＲ１は、台紙レスラベルＬＳの幅方向右側に配置される。言い換えると、台紙レスラベルＬＳの延びる方向に対して直交する方向（第１の方向）を天地方向として、アイキャッチ領域ＥＲは、上側に配置され、第１一般領域ＧＲ１は、アイキャッチ領域ＥＲの下側に配置される。また、第１領域Ｒ１では、台紙レスラベルＬＳの延びる方向に直交する方向を天地方向として、アイキャッチ情報ＥＩと第１一般情報ＧＩ１とを右から左に横書きする。
【００５８】
第２領域Ｒ２は、一のラベル片ＬＰに割り当てられた領域のうち、第１領域Ｒ１を除いた全ての領域に配置される。具体的に、第２領域Ｒ２は、第１領域Ｒ１に隣接して配置される。また、第２領域Ｒ２は、目立ち部ＯＰおよび非目立ち部ＯＰの両方に亘って配置される。言い換えると、第２領域Ｒ２は、台紙レスラベルＬＳの幅方向全域に延びる領域である。さらに、第２領域Ｒ２は、第１領域Ｒ１に隣接する側が上方側となるように配置される。第２一般領域ＧＲ２では、第２一般情報ＧＩ２は、台紙レスラベルＬＳの長手方向をラベル片ＬＰの天地方向として、右から左に横書きされる。
【００５９】
なお、第３レイアウト情報によって得られるラベル片ＬＰは、図１３に示すように、第２領域Ｒ２の部分が折り曲げられることにより、商品Ｐの上面と側面との両方に渡って貼りつけられる。
【００６０】
（ｃ−４）第４レイアウト情報
第４レイアウト情報は、アイキャッチ領域ＥＲに関する情報を含まないレイアウトに関する情報である。具体的に、第４レイアウト情報は、図１４に示すように、一のラベル片ＬＰの全域が一般領域ＧＲであり、台紙レスラベルの延びる方向を天地方向として、一般情報ＧＩを右から左に横書きにする。
【００６１】
（ｄ）フォントおよびフォントサイズ
各印字項目に関連付けられた領域において、フォントの種類およびフォントサイズが定義されている。なお、アイキャッチ領域ＥＲにおけるフォントは、一般領域ＧＲにおけるフォントよりも目立つフォントが設定される。また、アイキャッチ領域ＥＲにおけるフォントサイズもまた、一般領域ＧＲにおけるフォントサイズと比較して目立つようなサイズが設定されている。すなわち、アイキャッチ情報は、一般情報よりも大きいフォントサイズが設定される。
【００６２】
（３−１−４）選択情報記憶領域
選択情報記憶領域８１ｄには、操作部７０によって選択された各種情報が関連付けて記憶される。ここで、選択情報記憶領域８１ｄに記憶される各種情報には、ラベル片ＬＰに印字される商品に関する商品番号、アイキャッチ番号、およびフォーマット番号が含まれる（図９参照）。商品番号、アイキャッチ番号、およびフォーマット番号は、それぞれ関連付けて記憶される。
【００６３】
（３−２）制御部
制御部８２は、記憶部８１に記憶されている各種プログラムを読み出して実行する。また、制御部８２は、選択受付部８２ａとして機能する。選択受付部８２ａは、ユーザによって操作部７０を介して入力された各種情報を受け付ける。選択受付部８２ａによって受け付けられる各種情報には、印字対象となる商品の商品番号、印字対象となる商品に付けるアイキャッチ情報に対応するアイキャッチ番号、および印字対象となる商品に用いるフォーマット情報に対応するフォーマット番号等が含まれる。選択受付部８２ａによって受け付けられた情報は、選択情報記憶領域８１ｄに記憶される。また、選択受付部８２ａによって受け付けられた情報に基づき、制御部８２は、包装装置１００を構成する各部に制御指令を送信する。
【００６４】
（４）ラベル発行機構の動作
次に、図１５を参照して、ラベル発行機構１６０の動作を説明する。
【００６５】
ステップＳ１１では、操作部７０におけるユーザからの入力の有無が判定される。ステップＳ１１において、入力が判定されると、ステップＳ１２に進む。
【００６６】
ステップＳ１２では、フォーマット情報の入力の要否が判定される。ここでは、フォーマット情報が既に入力されている場合は、ステップＳ１４に進み、フォーマット情報が入力されておらず、フォーマット情報の入力が必要な場合には、ステップＳ１３に進む。
【００６７】
ステップＳ１３では、フォーマット情報を要求するメッセージをタッチパネル７１に表示させ、その後入力されたフォーマット情報が記憶される（レイアウト情報記憶ステップ）。その後、ステップＳ１４に進む。
【００６８】
ステップＳ１４では、装着部の回転軸を回転するとともに、プラテンローラ６３を回転する。これにより、ラベルロールＬＲから台紙レスラベルＬＳが繰り出される（繰り出しステップ）。
【００６９】
さらに、ステップＳ１５に進み、選択情報記憶領域８１ｄに記憶された選択情報に基づいて、記憶部８１に記憶されている情報のうち商品情報の印字に必要な各種情報を参照して、台紙レスラベルＬＳの表面に商品情報を印字する（印字ステップ）。具体的には、選択された商品番号に基づき、商品マスタから対応する商品情報を取得する。また、選択された商品番号に関連付けられているアイキャッチ番号およびフォーマット番号に基づき、対応するアイキャッチ情報およびフォーマット情報を取得する。取得した情報に基づいて台紙レスラベルＬＳに商品情報が印字される。その後、ステップＳ１６に進む。
【００７０】
ステップＳ１６では、ラベル検知センサ６５によって、台紙レスラベルＬＳのアイマークＥＭが検知されたかどうかが判定される。すなわち、台紙レスラベルＬＳが所定量（一のラベル片ＬＰに対応する量）搬送されたかどうかが判定される。ステップＳ１６では、所定数のアイマークＥＭが検知されるまで待機し、所定数のアイマークＥＭが検知されるとステップＳ１７に進む。
【００７１】
ステップＳ１７では、カッター機構６４を駆動させる。すなわち、移動カッター６４ａを固定カッター６４ｂ側へ移動させて、連続する台紙レスラベルＬＳを、長手方向に直交する方向に切断する。これにより、台紙レスラベルＬＳから一のラベル片ＬＰを切り離す。
【００７２】
（４）特徴
（４−１）
上記実施形態に係るラベル発行機構１６０は、台紙レスラベルＬＳに含まれる色付きの部分であって、台紙レスラベルＬＳの長手方向に連続して延びる部分である目立ち部ＯＰに、アイキャッチ情報ＥＩを印字し、目立ち部以外の台紙レスラベルの部分である非目立ち部ＮＯＰにアイキャッチ情報以外の商品情報（一般情報）ＧＩを印字する。これにより、印字項目の数に関わらず、目立ち部ＯＰを含む台紙レスラベルＬＳを効果的に用いることができる。
【００７３】
近年、スーパーマーケット等の食料品売り場では、商品に顧客の目を引きつけるために、アイキャッチ効果のあるラベルが多用されている。具体的に、アイキャッチ効果のあるラベルでは、ラベルの一部分が、ラベルの基本色および印字色とは異なる色で色付けされ、色付けされた部分（目立ち部）に顧客を引きつける文字や数字（アイキャッチ情報）が印字されている。従来のラベル発行機構では、台紙付きラベルを用いることが一般的であった。台紙付きラベルは、連続したシートの上に多数のラベル片が貼り付けられた構成を有する。したがって、台紙付きラベルにアイキャッチ情報を付す場合、予め定まったラベル片の領域内に目立ち部を設けて、目立ち部に印字可能な量のアイキャッチ情報が印字されるように設定されていた。具体的には、台紙付きラベルの幅方向に横切って延びる目立ち部を形成し、さらに、台紙付きラベルの長手方向において所定の距離間隔をおいて複数の目立ち部を形成した。これによって、一の目立ち部が含む一のラベル片を発行することが可能であった。その流れで、台紙レスラベルが好まれるようになった近年でも、台紙レスラベルの幅方向を横切って延びる目立ち部を形成し、さらに、台紙レスラベルの長手方向において所定の間隔をおいて複数の目立ち部が形成されていた。しかし、商品情報を印字可能な領域は予め決まっているため、ラベル片に印字する項目数が増加した場合には、別の台紙レスラベルを準備する必要が生じた。例えば、台紙レスラベルの長手方向において各目立ち部の距離間隔を大きくした台紙レスラベル、若しくは、各目立ち部の面積を大きくした別の台紙レスラベルを準備する必要が生じた。
【００７４】
上記実施形態に係るラベル発行機構１６０は、連続して延びる目立ち部ＯＰを有する台紙レスラベルＬＳに対して商品情報を印字する。したがって、アイキャッチ情報ＥＩおよび一般情報ＧＩのいずれの情報が増えた場合にも、台紙レスラベルＬＳの長手方向の量を変化させることにより、印字領域を拡張することができる。これにより、商品情報の増加に対応したラベル片ＬＰを発行することが可能になる。
【００７５】
（４−２）
上記実施形態に係るラベル発行機構１６０は、アイキャッチ情報ＥＩを示す文字または数字を、一般情報ＧＩを示す文字または数字に対して、大きいサイズで目立ち部ＯＰに印字する。これにより、アイキャッチ情報ＧＩを台紙レスラベルＬＳに効果的に印字することができる。
【００７６】
（４−３）
上記実施形態に係るラベル発行機構１６０は、複数のレイアウト情報を記憶する。ラベル発行機構１６０は、ユーザが操作部７０を用いて選択したレイアウト情報に基づいて商品情報が台紙レスラベルＬＳに印字される。
【００７７】
複数のレイアウト情報は、第１レイアウト、第２レイアウト、第３レイアウト、および第４レイアウトのそれぞれに関する情報を含む。第１レイアウトは、台紙レスラベルＬＳの延びる方向に直交する方向を天地方向として、アイキャッチ情報および一般情報を横書きするレイアウトである。第２レイアウトは、台紙レスラベルＬＳの延びる方向を天地方向として、アイキャッチ情報を縦書き、一般情報を横書きするレイアウトである。第３レイアウトは、大きく分けて、第１領域Ｒ１および第２領域Ｒ２の二つの領域を有するレイアウトである。第１領域Ｒ１では、台紙レスラベルＬＳの延びる方向を天地方向として、アイキャッチ情報ＥＩと一般情報の一部（第１の部分）ＲＩ１を横書きする。第２領域Ｒ２は、第１領域Ｒ１に隣接する領域である。第２領域Ｒ２では、台紙レスラベルＬＳの延びる方向を天地方向として、残りの一般情報（第２の部分）ＲＩ２を横書きする。第４レイアウトは、アイキャッチ情報を含まないラベルのレイアウトである。
【００７８】
これにより、目立ち部ＯＰを有する台紙レスラベルＬＳおよび目立ち部ＯＰを有さない台紙レスラベルＬＳの両方を用いることができるとともに、印字対象とする商品Ｐに応じて所望するレイアウトを適宜選択することができる。
【００７９】
また、第３レイアウトに基づいて印字されたラベル片ＬＰは、商品Ｐの複数の面に貼り付けることが可能になる。すなわち、ラベル片ＬＰが商品Ｐに貼り付けられる態様を変化させることができる。第３レイアウトでは、台紙レスラベルＬＳの長手方向において、第１領域Ｒ１と第２領域Ｒ２とを隣接させて配置させ、第１領域Ｒ１の天地方向と第２領域Ｒ２の天地方向とが異なる方向となるように文字方向を設定している。これにより、一のラベル片ＬＰが商品の複数面に亘って貼り付けられる場合であっても、印字項目の見やすいラベル片ＬＰを形成することができる。
【００８０】
（４−４）
上記実施形態に係るラベル発行機構１６０では、いずれのレイアウトを用いた場合にも、バーコードｃｄを構成する各バーｂｒは、台紙レスラベルＬＳの延びる方向に、台紙レスラベルＬＳに印字される（図１０参照）。言い換えると、バーコードｃｄを構成する各バーｂｒは、台紙レスラベルＬＳの長手方向に沿って延びる。これにより、バーコードｃｄを精確に台紙レスラベルＬＳに印字することができる。
【００８１】
台紙レスラベルＬＳに商品情報を印字するためのサーマルヘッド６２と、台紙レスラベルＬＳを下流方向に送るプラテンローラ６３とは、台紙レスラベルＬＳの長さ方向に直交する方向に延在している（図３参照）。ここで、例えば、バーコードｃｄを台紙レスラベルＬＳの長手方向に沿って配置する場合（各バーｂｒが台紙レスラベルＬＳの長手方向に直交する方向に延びるように配置した場合）、バーコードｃｄを構成する各バーｂｒをそれぞれ適切な距離間隔で配置するためには、プラテンローラ６３によって送られる台紙レスラベルＬＳの量を細かく調整する必要がある。また、台紙レスラベルＬＳは、プラテンローラ６３上で滑ることがある。このため、バーコードｃｄを構成する各バーｂｒを正しい間隔で印字することが困難である。すなわち、バーコードｃｄの印字品質を保つことが困難である。
【００８２】
一方、上記実施形態に係るラベル発行機構１６０は、バーコードｃｄを構成する各バーｂｒが延びる方向と、台紙レスラベルＬＳの延びる方向とが一致している。このとき、バーｂｒの間隔は、サーマルヘッド６２のドットの間隔で決まる。そのため、複数のバーｂｒが間隔を正確に保つことができ、好適なバーコードｃｄを台紙レスラベルＬＳに印字することができる。
【００８３】
（５）変形例
（５−１）変形例Ａ
上記実施形態では、カッター機構６４によって台紙レスラベルＬＳから切り離されたラベル片ＬＰがユーザによって商品に貼り付けられた。ここで、ラベル発行機構１６０は、ラベル片ＬＰを商品に自動的に貼り付けるためのラベル貼付け機構を備えていてもよい。
【００８４】
（５−２）変形例Ｂ
上記実施形態で用いた台紙レスラベルＬＳは、裏面に粘着面を有すると共に、アイマークＥＭを有した。ここで、台紙レスラベルＬＳの裏面は、粘着部および非粘着部が台紙レスラベルＬＳの幅方向を横切るように交互に並ぶ面を有していてもよい。これにより、アイマークＥＭの代わり粘着部の位置を認識することにより、台紙レスラベルＬＳの繰り出し量を判定することができる。
【００８５】
（５−３）変形例Ｃ
上記実施形態では、レイアウト情報として、第１レイアウト情報、第２レイアウト情報、第３レイアウト、および第４レイアウト情報を説明した。レイアウト情報には、他のレイアウト情報が含まれていてもよい。例えば、ラベル発行機構１６０は、商品表面の右下および右側面に亘って貼り付けられるラベル片ＬＰのレイアウト（第３レイアウト）に関する情報を記憶したが、これに加えて、商品表面の左下および左側面に亘って貼り付けられるラベル片ＬＰのレイアウトや、商品表面の右上または商品表面の左上および隣接する側面に亘って貼り付けられるラベル片ＬＰのレイアウト等、種々のレイアウトに関する情報が記憶されていてもよい。
【００８６】
（５−４）変形例Ｄ
上記実施形態に係る包装装置１００は、他の装置と接続されていてもよい。また、制御装置８０に記憶される情報が、当該他の装置から送られた情報であってもよい。
【００８７】
（５−５）変形例Ｅ
上記実施形態では、ラベル発行機構１６０として、包装装置１００に組み込まれた態様を例に挙げて説明したが、ラベル発行機構１６０が単独で機能する構成であってもよい。
【００８８】
（５−６）変形例Ｆ
上記実施形態に係るラベル発行機構１６０では、目立ち部ＯＰを有する台紙レスラベルに対するレイアウトに関する情報（第１レイアウト情報、第２レイアウト情報、第３レイアウト情報）と、目立ち部ＯＰを有さない台紙レスラベルのレイアウトに関する情報（第４レイアウト情報）とが記憶されていた。ここで、フォーマット情報記憶領域８１ｃには、目立ち部ＯＰを有さない台紙レスラベルのレイアウトに関する情報のみを記憶させておいてもよい。この場合、目立ち部ＯＰを有する台紙レスラベルを使用する際には、記憶させていた一般情報についてのレイアウトを回転させる等した上で、アイキャッチ情報をさらに配置することにより、必要なレイアウト情報を生成するようにしてもよい。
【符号の説明】
【００８９】
２０        計量搬入機構
３０        包装機構
６０        ラベル発行ユニット
６１        ロールホルダー
６２        サーマルヘッド（印字部）
６３        プラテンローラ（繰り出しローラ）
６４        カッター機構
６５        ラベル検知センサ
７０        操作部
８０        制御装置
８１        記憶部
８１ａ      商品マスタ記憶領域（商品情報記憶領域）
８１ｂ      アイキャッチ情報記憶領域
８１ｃ      フォーマット情報記憶領域（レイアウト情報記憶領域）
８１ｄ      選択情報記憶領域
８２        制御部
８２ａ      選択受付部
１００      包装装置
１６０      ラベル発行機構（印字装置）
ＬＲ        ラベルロール
ＬＳ        台紙レスラベル
ＬＰ        ラベル片
ＥＩ        アイキャッチ情報
ＧＩ        一般情報
ＥＲ        アイキャッチ領域
ＧＲ        一般領域
【先行技術文献】
【特許文献】
【００９０】
【特許文献１】特願２００２−２８３６３３号公報
【図１】
2014008679.tif 000003
【図２】
2014008679.tif 000004
【図３】
2014008679.tif 000005
【図４】
2014008679.tif 000006
【図５】
2014008679.tif 000007
【図６】
2014008679.tif 000008
【図７】
2014008679.tif 000009
【図８】
2014008679.tif 000010
【図９】
2014008679.tif 000011
【図１０】
2014008679.tif 000012
【図１１】
2014008679.tif 000013
【図１２】
2014008679.tif 000014
【図１３】
2014008679.tif 000015
【図１４】
2014008679.tif 000016
【図１５】
2014008679.tif 000017